(57)【要約】      （修正有）【課題】抱っこ紐に装着した状態で内部の物品を手探りしやすいバッグを提供する。【解決手段】抱っこ紐ストラップ５Ｌ及び５Ｒを抱っこ紐の肩掛け部に掛けられた状態で受けストラップ９Ｌ及び９Ｒと接続することで、バッグ１を抱っこ紐に装着することができる。本体２の両側面には、ファスナー８Ｒ及び８Ｌによって開閉可能な開口２ｂ及び２ｃが形成されている。【選択図】図２
0003208599.tif 000002
【実用新案登録請求の範囲】
【請求項１】
抱っこ紐に装着するバッグであって、
抱っこ紐の２つの肩掛け部に掛けられる２本の抱っこ紐ストラップを有し、
前記バッグの両側面のそれぞれが開閉可能であることを特徴とするバッグ。
【請求項２】
前記抱っこ紐ストラップのそれぞれが、前記肩掛け部に掛けられた状態で前記バッグの背面の２か所に固定されることを特徴とする請求項１に記載のバッグ。
【請求項３】
前記バッグの左右の上部に前記抱っこ紐ストラップと別の２本のストラップが固定され、
前記２本のストラップが前記バッグの左右の下部に接続されることで、リュックとして利用できることを特徴とする請求項１又は２に記載のバッグ。
【請求項４】
前記２本のストラップのどちらか１本が左右について反対側の下部に接続されることで、斜め掛けのバッグとして利用できることを特徴とする請求項３に記載のバッグ。
【請求項５】
前記２本の抱っこ紐ストラップがバックルによって前記バッグの背面に接続され、
前記２本の抱っこ紐ストラップ側と前記バッグの背面側とのバックルのオス・メスが左右間で反対になるように設定されており、前記２本の抱っこ紐ストラップの互いの前記バックルを接続することで、肩掛けバッグとして利用できることを特徴とする請求項１〜４のいずれか１項に記載のバッグ。
【請求項６】
前記バッグの上部に取っ手が付いており、手提げバッグとして利用できることを特徴とする請求項１〜５のいずれか１項に記載のバッグ。
【考案の詳細な説明】
【技術分野】
【０００１】
本考案は、抱っこ紐に装着するバッグに関する。
【背景技術】
【０００２】
特許文献１のように、抱っこ紐に装着可能なバッグがある。
【先行技術文献】
【特許文献】
【０００３】
【特許文献１】特開２０１４−６１２４１号公報
【考案の概要】
【考案が解決しようとする課題】
【０００４】
特許文献１のような抱っこ紐に装着するバッグの使用態様は、ユーザーが抱っこ紐を装着した状態でバッグ内に収容した物品を取り出す態様となることが多い。したがって、バッグ内部を目視できない状態でバッグ内の物品を手探りすることになる。
【０００５】
本考案の目的は、抱っこ紐に装着した状態で内部の物品を手探りしやすいバッグを提供することにある。
【課題を解決するための手段】
【０００６】
本考案は、抱っこ紐に装着するバッグであって、抱っこ紐の２つの肩掛け部に掛けられる２本の抱っこ紐ストラップを有し、前記バッグの両側面のそれぞれが開閉可能である。
【０００７】
引用文献１のバッグは、側面の一方のみが開閉可能となっている。したがって、抱っこ紐を装着した状態でバッグ内を探る際、片手で手探りすることとなる。また、右手か左手のいずれかのみで手探りすることになるので、右利きか左利きのいずれかにしか対応していない。これに対し、本考案のバッグによると、両側面のそれぞれが開閉可能である。このため、内部の物品を手探りする際に、両側面を開放した状態で両手でバッグ内を探ることが可能である。また、右利き及び左利きのいずれにも対応できる。よって、手探りしやすいバッグが実現する。
【０００８】
また、本考案においては、前記抱っこ紐ストラップのそれぞれが、前記肩掛け部に掛けられた状態で前記バッグの背面の２か所に固定されることが好ましい。これによると、抱っこ紐ストラップのそれぞれが背面の２か所に固定されるので、ストラップをバッグに確実に固定できる。
【０００９】
また、本考案においては、前記バッグの左右の上部に前記抱っこ紐ストラップと別の２本のストラップが固定され、前記２本のストラップが前記バッグの左右の下部に接続されることで、リュックとして利用できることが好ましい。これによると、抱っこ紐に装着した態様以外にバッグ単体でリュックとしても利用できる。
【００１０】
また、本考案においては、前記２本のストラップのどちらか１本が左右について反対側の下部に接続されることで、斜め掛けのバッグとして利用できることが好ましい。これによると、抱っこ紐に装着した態様以外にバッグ単体で斜め掛けのバッグとしても利用できる。
【００１１】
また、本考案においては、前記２本の抱っこ紐ストラップがバックルによって前記バッグの背面に接続され、前記２本の抱っこ紐ストラップ側と前記バッグの背面側とのバックルのオス・メスが左右間で反対になるように設定されており、前記２本の抱っこ紐ストラップの互いの前記バックルを接続することで、肩掛けバッグとして利用できることが好ましい。これによると、抱っこ紐に装着した態様以外にバッグ単体で肩掛けバッグとしても利用できる。
【００１２】
また、本考案においては、前記バッグの上部に取っ手が付いており、手提げバッグとして利用できることが好ましい。これによると、抱っこ紐に装着した態様以外にバッグ単体で手提げバッグとしても利用できる。
【図面の簡単な説明】
【００１３】
【図１】本考案の一実施形態に係るバッグの正面図である。
【図２】図１のバッグの背面図である。
【図３】図１のバッグを抱っこ紐に装着した状態を示す斜視図である。
【図４】図１のバッグを斜め掛けリュックとして使用する態様を示す背面図である。
【考案を実施するための形態】
【００１４】
以下、本考案の一実施形態に係る抱っこ紐取り付けバッグ１（以下、バッグ１とする。）について図１〜図４を参照しつつ説明する。バッグ１は、図１及び図２に示すように、上端が開口した布製の袋状の本体２、本体２の正面に設けられた正面ポケット３、並びに、本体２の側面２Ｌ及び２Ｒに設けられた側面ポケット４Ｌ及び４Ｒを備えている。本体２には、上端に開口２ａが設けられている他、側面２Ｌ及び２Ｒの背面側にも開口２ｂ及び２ｃが設けられている。開口２ｂ及び２ｃはファスナー８Ｒ及び８Ｌによって開閉可能である。ユーザーは、開口２ａ〜２ｃを通じ、白抜き矢印Ａ１〜Ａ３に沿って物品を出し入れすることができる。本体２の開口２ａ付近の内面には手提げ用の取っ手１０が設けられている。
【００１５】
正面ポケット３の上部にはファスナー３ａが設けられている。ファスナー３ａにより正面ポケット３の上部を開閉可能である。側面ポケット４Ｌ及び４Ｒは上方に開口している。正面ポケット３や側面ポケット４Ｌ及び４Ｒは、各種小物やスマートフォン等の携帯端末の収容部として使用可能である。側面ポケット４Ｌ及び４Ｒにはファスナーが設けられておらず、上端が常に開放されており、スマートフォンの出し入れに適している。
【００１６】
また、バッグ１は、図１及び図２に示すように、抱っこ紐ストラップ５Ｌ及び５Ｒ、肩掛けストラップ６Ｌ及び６Ｒ、並びに、飾りストラップ７を備えている。抱っこ紐ストラップ５Ｌの上端は、本体２の背面の上部における側面２Ｌの近くに固定されている。抱っこ紐ストラップ５Ｌには、その先端にバックルメス部２１ａが設けられていると共に、先端付近の表面にスナップボタン凸部３１ａが固定されている。一方、本体２の背面には、バックルオス部２２ｂが設けられた受けストラップ９Ｌが固定されていると共に、その上方にスナップボタン凹部３１ｂが固定されている。抱っこ紐ストラップ５Ｌ側のバックルメス部２１ａと本体２の背面側のバックルオス部２２ｂとは互いに接続可能である。また、抱っこ紐ストラップ５Ｌ側のスナップボタン凸部３１ａと本体２の背面側のスナップボタン凹部３１ｂとは互いに接続可能である。
【００１７】
抱っこ紐ストラップ５Ｒの上端は、本体２の背面の上部における側面２Ｒの近くに固定されている。抱っこ紐ストラップ５Ｒには、その先端にバックルオス部２１ｂが設けられていると共に、先端付近の表面にスナップボタン凸部３２ａが固定されている。一方、本体２の背面には、バックルメス部２２ａが設けられた受けストラップ９Ｒが固定されていると共に、その上方にスナップボタン凹部３２ｂが固定されている。抱っこ紐ストラップ５Ｒ側のバックルオス部２１ｂと本体２の背面側のバックルメス部２２ａとは互いに接続可能である。また、抱っこ紐ストラップ５Ｒ側のスナップボタン凸部３２ａと本体２の背面側のスナップボタン凹部３２ｂとは互いに接続可能である。さらに、抱っこ紐ストラップ５Ｒのバックルオス部２１ｂは抱っこ紐ストラップ５Ｌのバックルメス部２１ａと接続可能である。
【００１８】
以上のように、抱っこ紐ストラップ５Ｒ及び５Ｌのそれぞれは、バックル及びスナップボタンという２種類の固定手段によって本体２の背面の２か所に接続される。バックルによる固定手段について、抱っこ紐ストラップ５Ｌ側はメス側、本体２の背面側がオス側となっている一方で、抱っこ紐ストラップ５Ｒ側はオス側、本体２の背面側がメス側となっている。このように、抱っこ紐ストラップ５Ｌ及び５Ｒは、バックルのオス・メスが互いに反対になるように設定されている。
【００１９】
肩掛けストラップ６Ｌの上端は本体２の左上部に固定されていると共に、下端が本体２の左下部に接続されている。具体的には、肩掛けストラップ６Ｌの上端は、本体２の正面側の布の内面における側面２Ｌの近くに固定されている。肩掛けストラップ６Ｌの下端にはナスカン４２Ｌが設けられている。肩掛けストラップ６Ｌは、その上端付近において本体２の背面側の布の内面に設けられたＤカン４１Ｌに通され、下端のナスカン４２Ｌが本体２の背面の下部に設けられた角カン４３Ｌに接続されている。肩掛けストラップ６ＬがＤカン４１Ｌに通されることにより、開口２ａが開放されにくくなる。なお、肩掛けストラップ６Ｌには長さ調節用のアジャスター部材５１Ｌが設けられている。
【００２０】
肩掛けストラップ６Ｒの上端は本体２の右上部に固定されていると共に、下端が本体２の右下部に接続されている。具体的には、肩掛けストラップ６Ｒの上端は、本体２の正面側の布の内面における側面２Ｒの近くに固定されている。肩掛けストラップ６Ｒの下端にはナスカン４２Ｒが設けられている。肩掛けストラップ６Ｒは、その上端付近において本体２の背面側の布の内面に設けられたＤカン４１Ｒに通され、下端のナスカン４２Ｒが本体２の背面の下部に設けられた角カン４３Ｒに接続されている。肩掛けストラップ６ＲがＤカン４１Ｒに通されることにより、開口２ａが開放されにくくなる。なお、肩掛けストラップ６Ｒには長さ調節用のアジャスター部材５１Ｒが設けられている。
【００２１】
以上説明した本実施形態によると、図３に示すように、抱っこ紐９０の肩掛けストラップ９０Ｌ及び９０Ｒ（肩掛け部）に抱っこ紐ストラップ５Ｌ及び５Ｒを掛けると共に、バックルメス部２１ａ及びバックルオス部２１ｂをバックルオス部２２ｂ及びバックルメス部２２ａにそれぞれ接続することで、バック１を抱っこ紐９０に装着することができる。このとき、バックルのみならず、スナップボタン凸部３１ａ及び３２ａをスナップボタン凹部３１ｂ及び３２ｂに接続することで、抱っこ紐ストラップ５Ｌ及び５Ｒのそれぞれを本体２の背面の２か所に固定することができる。よって、ストラップをバッグに確実に固定できる。
【００２２】
そして、本実施形態のバッグ１によると、本体２の上部に開口２ａが設けられているのみならず、本体２の側面２Ｒ及び２Ｌに開口２ｂ及び２ｃが設けられている。開口２ｂ及び２ｃは、ファスナー８Ｌ及び８Ｒによって開閉可能である。このため、開口２ｂ及び２ｃの両方を開放すると、ユーザーが抱っこ紐を装着したまま、開口２ｂ及び２ｃを通じ、図２の白抜き矢印Ａ２及びＡ３に沿って両手を差し入れつつ本体２内を手探りすることが可能である。仮に、両側面のいずれかのみに開口が設けられているとすると、抱っこ紐を装着した状態でバッグ内を探る際、片手で手探りすることとなる。このような構成と比べ、両手で手探りできるバッグ１は、抱っこ紐を装着したまま内部を手探りしやすい。
【００２３】
また、抱っこ紐ストラップ５Ｌ及び５Ｒ以外に肩掛けストラップ６Ｌ及び６Ｒが設けられている。この肩掛けストラップ６Ｌのナスカン４２Ｌを角カン４３Ｌに、肩掛けストラップ６Ｒのナスカン４２Ｒを角カン４３Ｒにそれぞれ接続することにより、バッグ１を単体でリュックとしても利用できる。また、ナスカン４２Ｌ及び４２Ｒのいずれかを角カン４３Ｌ及び４３Ｒのうち上記とは反対側に接続することで、バッグ１を単体で斜め掛けのバッグとしても利用できる。一例として、図４は、ナスカン４２Ｒを角カン４３Ｌに接続した態様を示している。また、抱っこ紐ストラップ５Ｌのバックルメス部２１ａと抱っこ紐ストラップ５Ｒのバックルオス部２１ｂとを接続することにより、バッグ１を単体で肩掛けバッグとしても利用できる。さらに、取っ手１０を使用することにより、バッグ１を単体で手提げバッグとしても利用できる。
【００２４】
＜その他の変形例＞
以上は、本考案の好適な実施形態についての説明であるが、本考案は上述の実施形態に限られるものではなく、課題を解決するための手段に記載された範囲の限りにおいて様々な変更が可能なものである。
【００２５】
例えば、上述の実施形態では、抱っこ紐ストラップ５Ｌ及び５Ｒ以外に肩掛けストラップ６Ｌ及び６Ｒが設けられているが、肩掛けストラップ６Ｌ及び６Ｒが設けられていなくてもよい。この場合、抱っこ紐ストラップ５Ｌ及び５Ｒが肩掛けストラップ６Ｌ及び６Ｒの機能の少なくとも一部を兼ね備えるように構成されていることが好ましい。例えば、以下のように構成されているとよい。バックルメス部２１ａ及びバックルオス部２１ｂが本体２の下端まで届くように抱っこ紐ストラップ５Ｌ及び５Ｒを伸縮可能に構成する。一例として、抱っこ紐ストラップ５Ｌにおける図４の二点鎖線５Ｘに示す部分にアジャスター部材５１Ｌのような長さ調整手段を設けてもよい。そして、角カン４３Ｌ及び４３Ｒの代わりに、バックルメス部２１ａ及びバックルオス部２１ｂと接続可能なバックルオス部及びバックルメス部を設ける。これにより、抱っこ紐ストラップ５Ｌ及び５Ｒを受けストラップ９Ｌ及び９Ｒに接続できるのみならず、長く伸ばして本体２の下端のバックルオス部及びバックルメス部に接続することも可能となる。前者の接続によりバッグ１を抱っこ紐に装着して利用できると共に、後者の接続によりバッグ１をリュックとして利用することができる。また、角カン４３Ｌ及び４３Ｒはそのままで、バックルメス部２１ａ及びバックルオス部２１ｂをナスカンに変えてもよい。これにより、リュックの他、斜め掛けにも対応できる。
【符号の説明】
【００２６】
１      バッグ
２      本体
２Ｌ，２Ｒ  側面
２ａ〜２ｃ  開口
５Ｌ，５Ｒ  抱っこ紐ストラップ
６Ｌ，６Ｒ  肩掛けストラップ
９Ｌ，９Ｒ  受けストラップ
１０  取っ手
２１ａ，２２ａ  バックルメス部
２１ｂ，２２ｂ  バックルオス部
３１ａ，３２ａ  スナップボタン凸部
３１ｂ，３２ｂ  スナップボタン凹部
【図１】
0003208599.tif 000003
【図２】
0003208599.tif 000004
【図３】
0003208599.tif 000005
【図４】
0003208599.tif 000006